Podtech/llm-jp-corpus-v4-ja_patent huggingface dataset:
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
溶融紡糸により着色される高分子繊維を製造する方法であって、該方法が、少なくとも１種の、未処方の熱に安定な、黒色染料、青色染料または紫色染料と、高分子材料との混和物を溶融紡糸装置で溶融紡糸することを含み、そして該装置の少なくとも一部分が、２２０℃を超える温度で運転される、方法。
【請求項２】
高分子材料が、ナイロン−６、ナイロン−１２、ナイロン−６，６またはナイロン−６，１２である、請求項１記載の方法。
【請求項３】
高分子材料が、ポリエチレンテレフタレートまたはポリトリメチレンテレフタレートである、請求項１記載の方法。
【請求項４】
少なくとも１種の未処方染料が、
Ａ）式（Ｉ）：
【化１】
2006523268.tif 000001
で示される金属錯体黒色染料、
Ｂ）式（II）：
【化２】
2006523268.tif 000002
（式中、Ｒは、水素であり、Ｍは、Ｎａ、Ｋ、Ｌｉ、ＮＨ4、ＮＨ2（Ｃ2Ｈ4ＯＨ）、ＮＨ（Ｃ2Ｈ4ＯＨ）2またはＮ（Ｃ2Ｈ4ＯＨ）3である）で示される青色アントラキノン染料、
Ｃ）式（III）：
【化３】
2006523268.tif 000003
（式中、Ｍは、Ｎａ、Ｋ、Ｌｉ、ＮＨ4、ＮＨ2（Ｃ2Ｈ4ＯＨ）、ＮＨ（Ｃ2Ｈ4ＯＨ）2またはＮ（Ｃ2Ｈ4ＯＨ）3である）で示される青色アントラキノン染料、および
Ｄ）式（IV）：
【化４】
2006523268.tif 000004
〔式中、Ｒは、Ｈまたは式：−ＣＨ2−ＮＨ−ＣＯ−Ｙ（式中、Ｙは、Ｃ1〜Ｃ4アルキル基、Ｃ2〜Ｃ4アルケニル基または単環式もしくは二環式アリール基であり、それぞれが、場合により、塩素、フッ素およびそれらの混合から選択されるハロゲン基で１回以上置換されている）で示される基であり、少なくとも１個のＲ基が、水素以外である〕で示される紫色アントラキノン染料からなる群から選択される、請求項１記載の方法。
【請求項５】
染料が、高分子材料および染料の総重量に基づいて、０．０１〜５０重量％である、請求項１記載の方法。
【請求項６】
染料が、高分子材料の重量に基づいて、０．０１〜３重量％である、請求項１記載の方法。
【請求項７】
請求項１記載の方法により製造される、ポリアミド繊維またはポリエステル繊維。
【請求項８】
溶融加工により着色される高分子物品を製造する方法であって、該方法が少なくとも１種の、未処方の熱に安定な、黒色染料、青色染料または紫色染料と高分子材料との混和物を、適切な装置内で、適切な時間、溶融加工することを含み、そして該装置の少なくとも一部分が、少なくとも一部の時間、２２０℃を超える温度で運転される、方法。
【請求項９】
高分子材料が、ポリエチレンテレフタレート、ポリトリメチレンテレフタレート、ポリブチレンテレフタレート、ポリ乳酸、ポリアミド−６、ポリアミド−１２、ポリアミド−６，６またはポリアミド−６，１２である、請求項８記載の方法。
【請求項１０】
少なくとも１種の未処方染料が、
Ａ）式（Ｉ）：
【化５】
2006523268.tif 000005
で示される金属錯体黒色染料、
Ｂ）式（II）：
【化６】
2006523268.tif 000006
（式中、Ｒは、水素であり、Ｍは、Ｎａ、Ｋ、Ｌｉ、ＮＨ4、ＮＨ2（Ｃ2Ｈ4ＯＨ）、ＮＨ（Ｃ2Ｈ4ＯＨ）2またはＮ（Ｃ2Ｈ4ＯＨ）3である）で示される青色アントラキノン染料、
Ｃ）式（III）：
【化７】
2006523268.tif 000007
（式中、Ｍは、Ｎａ、Ｋ、Ｌｉ、ＮＨ4、ＮＨ2（Ｃ2Ｈ4ＯＨ）、ＮＨ（Ｃ2Ｈ4ＯＨ）2またはＮ（Ｃ2Ｈ4ＯＨ）3である）で示される青色アントラキノン染料、および
Ｄ）式（IV）：
【化８】
2006523268.tif 000008
〔式中、Ｒは、Ｈまたは式：−ＣＨ2−ＮＨ−ＣＯ−Ｙ（式中、Ｙは、Ｃ1〜Ｃ4アルキル基、Ｃ2〜Ｃ4アルケニル基または単環式もしくは二環式アリール基であり、それぞれが、場合により、塩素、フッ素およびその混合から選択されるハロゲン基で１回以上置換されている）で示される基であり、少なくとも１個のＲ基が、水素以外である〕で示される紫色アントラキノン染料からなる群から選択される、請求項８記載の方法。
【請求項１１】
染料が、高分子材料および染料の総重量に基づいて、０．０１〜５０重量％である、請求項８記載の方法。
【請求項１２】
染料が、高分子材料の重量に基づいて、０．０１〜３重量％である、請求項８記載の方法。
【請求項１３】
請求項８記載の方法により製造される、ポリエステルベースまたはポリアミドベースの物品。
【請求項１４】
固体の着色される高分子物品を製造する方法であって、該方法が、少なくとも１種の未処方の熱に安定な、黒色染料、青色染料または紫色染料の存在下で、カプロラクタムまたはアルキレンジヒドロキシもしくはアルキレンジアミノ縮合モノマー類を、脂肪族または芳香族ジカルボン酸縮合モノマー類と重合させることを含み、そして該高分子物品の、高分子部分または高分子部分の実質的に全てが、２４０℃を超える溶融温度を有する高分子類１種以上からなる、方法。
【請求項１５】
高分子が、ポリエチレンテレフタレート、ポリトリメチレンテレフタレート、ポリブチレンテレフタレート、ポリ乳酸、ポリアミド−６、ポリアミド−１２、ポリアミド−６，６またはポリアミド−６，１２である、請求項１４記載の方法。
【請求項１６】
少なくとも１種の未処方染料が、
Ａ）式（Ｉ）：
【化９】
2006523268.tif 000009
で示される金属錯体黒色染料、
Ｂ）式（II）：
【化１０】
2006523268.tif 000010
（式中、Ｒは、水素であり、Ｍは、Ｎａ、Ｋ、Ｌｉ、ＮＨ4、ＮＨ2（Ｃ2Ｈ4ＯＨ）、ＮＨ（Ｃ2Ｈ4ＯＨ）2またはＮ（Ｃ2Ｈ4ＯＨ）3である）で示される青色アントラキノン染料、
Ｃ）式（III）：
【化１１】
2006523268.tif 000011
（式中、Ｍは、Ｎａ、Ｋ、Ｌｉ、ＮＨ4、ＮＨ2（Ｃ2Ｈ4ＯＨ）、ＮＨ（Ｃ2Ｈ4ＯＨ）2またはＮ（Ｃ2Ｈ4ＯＨ）3である）で示される青色アントラキノン染料、および
Ｄ）式（IV）：
【化１２】
2006523268.tif 000012
〔式中、Ｒは、Ｈまたは式：−ＣＨ2−ＮＨ−ＣＯ−Ｙ（式中、Ｙは、Ｃ1〜Ｃ4アルキル基、Ｃ2〜Ｃ4アルケニル基または単環式もしくは二環式アリール基であり、それぞれが、場合により、塩素、フッ素およびその混合から選択されるハロゲン基で１回以上置換されている）で示される基であり、少なくとも１個のＲ基が、水素以外である〕で示される紫色アントラキノン染料からなる群から選択される、請求項１４記載の方法。
【請求項１７】
染料が、高分子材料および染料の総重量に基づいて、０．０１〜５０重量％である、請求項１４記載の方法。
【請求項１８】
請求項８記載の方法により製造される、ポリエステルまたはポリアミドの固体物品。
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
式I：
【化１】
2006523234.tif 000001
(式中、
R1およびR2は、水素、置換されていてもよいアルキル、置換されていてもよいアリール、置換されていてもよいヘテロアリール、置換されていてもよいアラルキル、および置換されていてもよいヘテロアラルキルからなる群より独立に選択され；またはR1、R2およびそれらが結合している窒素は、置換されていてもよい5-、6-もしくは7-員ヘテロ環を形成しており；
R3は、置換されていてもよいアリールまたは置換されていてもよいヘテロアリールであり；
R4は、ハロゲンであり；
R5は、水素、ハロゲン、ヒドロキシ、または置換されていてもよい低級アルキルであり；かつR6およびR7は、水素、ハロゲン、ヒドロキシ、および置換されていてもよい低級アルキルからなる群から独立に選択される)
により表される化合物、その単一の立体異性体、立体異性体の混合物、ならびにその医薬的に許容される塩、溶媒和物、および医薬的に許容される塩の溶媒和物。
【請求項２】
次の条件の１つ以上を満たしている請求項１に記載の化合物：
R1、R2およびそれらが結合している窒素が、置換されていてもよい5-、6-もしくは7-員ヘテロ環を形成している；
R3が、ハロゲン、低級アルコキシ、置換されていてもよいアリールもしくはヘテロアリール基で置換されていてもよい、フェニル、イソキサゾリル、オキサゾリル、ピリジニル、ピラジニル、ピリミジニル、テトラゾール-5-イル、チアゾリル、チアジアゾリルまたはイミダゾリル基である；
R4がクロロである；ならびに
R5、R6およびR7が水素である。
【請求項３】
次の条件の１つ以上を満たしている請求項２に記載の化合物：
R1、R2およびそれらが結合している窒素が、ピペリジン-1-イル；ピペラジン-1-イル；モルホリン-4-イル；ピロリジン-1-イル；チオモルホリン-4-イルまたはジアゼパン-1-イルを形成しており、これらは以下の基：置換されていてもよいアルキル、ハロゲン、ヒドロキシ、アルコキシ、アルキレンジオキシ(例えば、メチレンジオキシ)、カルボキシ(-COOH)、置換されていてもよいアシルオキシ(RCOO-)、置換されていてもよいアルコキシカルボニル(-COOR)、置換されていてもよいアミノカルボニル、シアノ、置換されていてもよいアシル、オキソ、ニトロ、置換されていてもよいアミノ、スルファニル、スルフィニル、スルホニル、置換されていてもよいアミノスルホニル、アミジノ、フェニル、ベンジル、ヘテロアリール、ヘテロシクリル、置換されたヘテロシクリル、アリールオキシ、アラルコキシ、ヘテロアリールオキシ、およびヘテロアラルコキシのうちの1、2または3個で置換されていてもよい；ならびに
R3が置換されていてもよいフェニル基で置換されていてもよい[1,3,4]チアジアゾール-2-イル基であるか、またはR3が1H-イミダゾール-2-イル基である。
【請求項４】
R1、R2およびそれらが結合している窒素が置換されていてもよいジアゼパン-1-イル環を形成している、請求項３に記載の化合物。
【請求項５】
R1、R2およびそれらが結合している窒素が置換されていてもよいピペラジン-1-イル環を形成している、請求項３に記載の化合物。
【請求項６】
R1、R2およびそれらが結合している窒素が置換されていてもよいピペリジン-1-イル環を形成している、請求項３に記載の化合物。
【請求項７】
R1、R2およびそれらが結合している窒素が置換されていてもよいピロリジン-1-イル環を形成している、請求項３に記載の化合物。
【請求項８】
R3がオキサゾール-2-イル、5-フェニル-[1,3,4]チアジアゾール-2-イルまたは1H-イミダゾール-2-イルである、請求項１〜７のいずれか１項に記載の化合物。
【請求項９】
R1、R2およびそれらが結合している窒素が、置換されていてもよい5-、6-もしくは7-員ヘテロ環を形成しており；
R3が置換されていてもよいアリールまたはヘテロアリールであり；
R4がハロゲンであり；ならびに
R5、R6およびR7が水素である、請求項１に記載の化合物。
【請求項１０】
R4がクロロである、請求項９に記載の化合物。
【請求項１１】
R1、R2およびそれらが結合している窒素が、置換されていてもよい5-、6-もしくは7-員ヘテロ環を形成しており；
R3が置換されていてもよいフェニル基で置換されていてもよい[1,3,4]チアジアゾール-2-イル基であるか、またはR3が1H-イミダゾール-2-イル基であり；
R4がハロゲンであり；ならびに
R5、R6およびR7が水素である、請求項１に記載の化合物。
【請求項１２】
R1、R2およびそれらが結合している窒素が、置換されていてもよい5-、6-もしくは7-員ヘテロ環を形成しており；
R3が5-フェニル-[1,3,4]チアジアゾール-2-イルまたは1H-イミダゾール-2-イルであり；
R4がハロゲンであり；ならびに
R5、R6およびR7が水素である、請求項１に記載の化合物。
【請求項１３】
哺乳動物の心臓病治療用医薬の製造のための、請求項１〜１２のいずれか１項に記載の化合物、単一の立体異性体、立体異性体の混合物、医薬的に許容される塩、溶媒和物、または医薬的に許容される塩の溶媒和物の使用。
【請求項１４】
医薬的に許容される賦形剤と、治療的に有効な量の請求項１〜１２のいずれか１項に記載の化合物、単一の立体異性体、立体異性体の混合物、医薬的に許容される塩、溶媒和物、または医薬的に許容される塩の溶媒和物とを含む、医薬製剤。
【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
一つ以上の薬剤を血管に送り、血管内の再狭窄を、その発生の程度を低減するか又は実質的に予防するために形成された医療装置であって、前記薬剤がエポシロンD、17-アリルアミノ-17-デスメトキシゲルダナマイシン、17-[2-(ジメチルアミノ)エチルアミノ]-17-デスメトキシゲルダナマイシン、17-[2-(ジメチルアミノ)エチルアミノ]-17-デスメトキシ-11-O-メチルゲルダマイシン、及び17-アゼチジニル-17-デスメトキシゲルダナマイシンからなる群より選ばれる前記医療装置。
【請求項２】
医療装置がステント又はポリマーラッパーである、請求項１に記載の医療装置。
【請求項３】
薬剤がエポシロンDである、請求項２に記載の医療装置。
【請求項４】
薬剤が、17-アリルアミノ-17-デスメトキシゲルダナマイシン(「17-AAG」)、17-[2-(ジメチルアミノ)エチルアミノ]-17-デスメトキシゲルダナマイシン(「17-DMAG」)、17-[2-(ジメチルアミノ)エチルアミノ]-17-デスメトキシ-11-O-メチルゲルダマイシン、及び17-アゼチジニル-17-デスメトキシゲルダナマイシンからなる群より選ばれる、請求項２に記載の医療装置。
【請求項５】
第一及び第二の薬剤を血管に送り、血管内の再狭窄を、その発生の程度を低減するか又は実質的に予防するために形成された医療装置であって、前記第一及び第二の薬剤がエポシロンD、ラパマイシン、ラパマイシン類似体、17-アリルアミノ-17-デスメトキシゲルダナマイシン、17-[2-(ジメチルアミノ)エチルアミノ]-17-デスメトキシ-ゲルダナマイシン、17-[2-(ジメチルアミノ)-エチルアミノ]-17-デスメトキシ-11-O-メチルゲルダマイシン、及び17-アゼチジニル-17-デスメトキシゲルダナマイシンからなる群より選ばれ、前記第一及び第二の薬剤が相乗的細胞毒性を示す、前記医療装置。
【請求項６】
医療装置がステント又はポリマーラッパーである、請求項５に記載の医療装置。
【請求項７】
第一の薬剤が、エポシロンD、17-アリルアミノ-17-デスメトキシゲルダナマイシン、17-[2-(ジメチルアミノ)エチルアミノ]-17-デスメトキシ-ゲルダナマイシン、17-[2-(ジメチルアミノ)-エチルアミノ]-17-デスメトキシ-11-O-メチルゲルダマイシン、及び17-アゼチジニル-17-デスメトキシゲルダナマイシンからなる群より選ばれ、第二の薬剤が、ラパマイシン又はラパマイシン類似体である、請求項６に記載の医療装置。
【請求項８】
第一の薬剤がエポシロンDであり、第二の薬剤がラパマイシン又はラパマイシン類似体である、請求項６に記載の医療装置。
【請求項９】
第一の薬剤が、17-アリルアミノ-17-デスメトキシゲルダナマイシン、17-[2-(ジメチルアミノ)エチルアミノ]-17-デスメトキシ-ゲルダナマイシン、17-[2-(ジメチルアミノ)-エチルアミノ]-17-デスメトキシ-11-O-メチルゲルダマイシン、及び17-アゼチジニル-17-デスメトキシゲルダナマイシンからなる群より選ばれ、第二の薬剤が、ラパマイシン又はラパマイシン類似体である、請求項６に記載の医療装置。
【請求項１０】
相乗的細胞毒性を示す薬剤が17-AAG及びラパマイシンである、請求項５に記載の医療装置。
【請求項１１】
相乗的細胞毒性を示す薬剤がエポシロンD及びラパマイシンである、請求項５に記載の医療装置。
【請求項１２】
相乗的細胞毒性を示す薬剤が、17-[2-(ジメチルアミノ)エチルアミノ]-17-デスメトキシゲルダナマイシン及びラパマイシンである、請求項５に記載の医療装置。
【請求項１３】
ポリマー、及びエポシロンD、17-アリルアミノ-17-デスメトキシゲルダナマイシン、17-[2-(ジメチルアミノ)エチルアミノ]-17-デスメトキシゲルダナマイシン、17-[2-(ジメチルアミノ)-エチルアミノ]-17-デスメトキシ-11-O-メチルゲルダマイシン、及び17-アゼチジニル-17-デスメトキシゲルダナマイシンからなる群より選ばれる一つ以上の細胞毒性薬剤を含む組成物。
【請求項１４】
ポリマー、及び第一及び第二の薬剤を含む組成物であって、前記第一及び第二の薬剤が、エポシロンD、ラパマイシン、ラパマイシン類似体、17-アリルアミノ-17-デスメトキシゲルダナマイシン、17-[2-(ジメチルアミノ)エチルアミノ]-17-デスメトキシ-ゲルダナマイシン、17-[2-(ジメチルアミノ)-エチルアミノ]-17-デスメトキシ-11-O-メチルゲルダマイシン、及び17-アゼチジニル-17-デスメトキシゲルダナマイシンからなる群より選ばれ、前記第一及び第二の薬剤が相乗的細胞毒性を示す、前記組成物。
【請求項１５】
第一の薬剤がエポシロンDであり、第二の薬剤がラパマイシン又はラパマイシン類似体である、請求項１４に記載の組成物。
【請求項１６】
第一の薬剤が、17-アリルアミノ-17-デスメトキシゲルダナマイシン、17-[2-(ジメチルアミノ)エチルアミノ]-17-デスメトキシ-ゲルダナマイシン、17-[2-(ジメチルアミノ)-エチルアミノ]-17-デスメトキシ-11-O-メチルゲルダマイシン、及び17-アゼチジニル-17-デスメトキシゲルダナマイシンからなる群より選ばれ、第二の薬剤が、ラパマイシン又はラパマイシン類似体である、請求項１４に記載の組成物。
【請求項１７】
第一の薬剤が、17-アリルアミノ-17-デスメトキシゲルダナマイシンであり、第二の薬剤がラパマイシン又はラパマイシン類似体である、請求項１４に記載の組成物。
【請求項１８】
第一の薬剤が17-[2-(ジメチルアミノ)エチルアミノ]-17-デスメトキシ-ゲルダナマイシンであり、第二の薬剤がラパマイシン又はラパマイシン類似体である、請求項１４に記載の組成物。
【請求項１９】
ポリマーが、ポリラクチド、光硬化性ポリ(エステル-アミド)及びポリウレタンからなる群より選ばれる、請求項１３に記載の組成物。
【手続補正書】
【提出日】平成19年3月26日(2007.3.26)
【手続補正１】
【補正対象書類名】特許請求の範囲
【補正対象項目名】請求項１１
【補正方法】変更
【補正の内容】
【請求項１１】
前記燃焼工程が不安定燃焼の始まりまたは不安定状態のどちらかにあることを前記パラメータが示しているかどうか判定する前記ステップは、振動周波数が所定の周波数範囲内にあり、かつ振動振幅が第１閾値を超える場合に、前記燃焼工程が不安定燃焼の始まりにあると判定するステップを含む；
請求項１０の方法。
【手続補正２】
【補正対象書類名】特許請求の範囲
【補正対象項目名】請求項１５
【補正方法】変更
【補正の内容】
【請求項１５】
前記燃焼工程が不安定燃焼の始まりまたは不安定状態のどちらかにあることを前記パラメータが示しているかどうか判定する前記ステップは、振動周波数が可聴周波数範囲内にあり、かつ振動振幅が少なくとも第２閾値を超える場合に、前記燃焼工程が不安定状態であると判定するステップを含む；
請求項１１の方法。
【手続補正３】
【補正対象書類名】特許請求の範囲
【補正対象項目名】請求項１７
【補正方法】変更
【補正の内容】
【請求項１７】
前記イオンセンサが、前記燃料ノズル近傍に少なくとも一つの電極と、前記燃焼室の壁に少なくとも一つの電極とを有し、前記燃料ノズル近傍の前記少なくとも一つの電極と、前記燃焼室の壁の前記少なくとも一つの電極との間に電圧を印加するステップを更に備える；
請求項１６の方法。
【手続補正４】
【補正対象書類名】特許請求の範囲
【補正対象項目名】請求項２１
【補正方法】変更
【補正の内容】
【請求項２１】
前記振動周波数および前記振動振幅が不安定燃焼の始まりおよび不安定燃焼状態のうちの一方を示すかどうか判定する前記ステップは、前記振動周波数が所定の周波数範囲内にあり、かつ前記振動振幅が第１閾値を超える場合に、前記振動周波数および前記振動振幅が不安定燃焼の始まりを示すと判定するステップを含む；
請求項２０の方法。
【手続補正５】
【補正対象書類名】特許請求の範囲
【補正対象項目名】請求項２３
【補正方法】変更
【補正の内容】
【請求項２３】
前記振動周波数および前記振動振幅が不安定燃焼の始まりおよび不安定燃焼状態のうちの一方を示すかどうか判定する前記ステップは、前記振動周波数が所定の周波数範囲内にあり、かつ前記振動振幅が第２閾値を超える場合に、前記振動周波数および前記振動振幅が不安定燃焼状態を示すと判定するステップを含む；
請求項２０の方法。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
溶液からヘキサフルオロプロピレンダイマーを除去する方法であって、
ａ．前記ダイマーを熱力学的異性体に異性化する工程と、
ｂ．該溶液を第三級アミンまたは第三級アミン塩と接触させてアミン−ダイマー付加体を形成する工程と、
ｃ．前記付加体を溶液から除去する工程とを含む方法。
【請求項２】
前記異性化工程が、前記異性化を達成するのに十分な時間および温度で前記ダイマーを触媒量のフッ化物イオンと接触させることを含む、請求項１に記載の方法。
【請求項３】
前記フッ化物イオンが、存在する前記ダイマーの総重量を基準として０．５〜１０重量％を占める、請求項２に記載の方法。
【請求項４】
前記異性化工程が前記溶液を高温に維持することを含む、請求項２に記載の方法。
【請求項５】
前記溶液がヘキサフルオロプロピレンとパーフッ素化アシル化合物との反応生成物を含む、請求項１に記載の方法。
【請求項６】
前記溶液中の前記アミン−ダイマー付加体の溶解度を下げるために溶剤を添加する工程をさらに含む、請求項１に記載の方法。
【請求項７】
前記異性化が相間移動触媒の存在下で行われる、請求項２に記載の方法。
【請求項８】
前記熱力学的ダイマーが熱力学的および動力学的ダイマーの混合物から選択的に除去される、請求項１に記載の方法。
【請求項９】
前記処理された流体が１０００ｐｐｍ未満のダイマーを含む、請求項１に記載の方法。
【請求項１０】
ａ．ヘキサフルオロプロピレンをフッ化物イオンの存在下で求電子化合物と接触させる工程と、
ｂ．反応混合物を加熱して生じたヘキサフルオロプロピレンダイマーを熱力学的異性体に異性化する工程と、
ｃ．該溶液を第三級アミンまたは第三級アミン塩と接触させてアミン−ダイマー付加体を形成する工程と、
ｄ．前記付加体をフッ素化化合物から分離する工程と
を含む、フッ素化化合物の製造方法。
【請求項１１】
前記求電子試薬が、パーフッ素化ケトン、パーフッ素化アシルハライド、パーフッ素化エステル、またはパーフッ素化酸無水物である、請求項１０に記載の方法。
【手続補正２】
【補正対象書類名】明細書
【補正対象項目名】００４１
【補正方法】変更
【補正の内容】
【００４１】
１，１，１，２，２，４，５，５，５−ノナフルオロ−４−トリフルオロメチルペンタン−３−オンＣＦ3ＣＦ2Ｃ（Ｏ）ＣＦ（ＣＦ3）2の製造
粗Ｃ6パーフッ素化ケトン（ＣＦ3ＣＦ2Ｃ（Ｏ）ＣＦ（ＣＦ3）2）は米国特許第６，４７８，９７９号明細書に記載された方法に従って製造することができる。溶剤としてジグライムおよび触媒としてＫＦを使用してＣ2Ｆ5ＣＯＦをＨＦＰと反応させた。粗Ｃ6パーフルオロケトンは、不純物としてＨＦＰトランス−動力学的ダイマー、ＨＦＰシス−動力学的ダイマー、ＨＦＰ熱力学的ダイマー、およびダイマー水素化物（（ＣＦ3）2ＣＨ−ＣＦ2ＣＦ2ＣＦ3）を含有した。次の実施例で用いられる用語「Ｃ6ＰＦＫ」は、この方法で製造された粗Ｃ6パーフッ素化ケトンを意味する。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
哺乳類の対象にて抗原特異的免疫応答を誘導するための医薬の製造における、
（ａ）ＤＮＡプラスミドによるその発現に対する調節配列による調節の下で、抗原をコード化するＤＮＡ配列を含むＤＮＡプラスミドを含む一番目の組成物と；
（ｂ）組換え水疱性口内炎ウィルス（ＶＳＶ）によるその発現に対する調節配列による調節の下で、該抗原をコード化する核酸配列を含む組換えＶＳＶを含む二番目の組成物との使用。
【請求項２】
ＶＳＶが複製成分であるか、複製できないところの、請求項１記載の使用。
【請求項３】
医薬がサイトカインをさらに含むところの、請求項１記載の使用。
【請求項４】
サイトカインが、（ｉ）ＤＮＡプラスミドによるその発現に対する調節配列による調節の下で、サイトカインをコード化するＤＮＡ配列を含むＤＮＡプラスミドを含む核酸組成物、または（ｉｉ）タンパク質であるところの、請求項３記載の方法。
【請求項５】
サイトカインが、ＩＬ−１２、ＩＬ−１５、ＧＭ−ＣＳＦおよびそれらの組み合わせからなる群から選ばれるところの、請求項４記載の使用。
【請求項６】
サイトカインコード化配列が、抗原コード化配列と同一のＤＮＡプラスミド上に存在するか、該抗原をコード化するＤＮＡプラスミドとは異なるＤＮＡプラスミド上に存在するところの、請求項５記載の使用。
【請求項７】
抗原が、タンパク質、ポリペプチド、ペプチド、それらの断片または融合体であり、そのタンパク質が、細菌、ウィルス、真菌、寄生虫、癌細胞、腫瘍細胞、アレルゲンおよび自己分子からなる群から選ばれるメンバーに由来するところの、請求項１記載の使用。
【請求項８】
抗原が、ｇａｇ、ｐｏｌ、ｅｎｖ、ｎｅｆ、ｖｐｒ、ｖｐｕ、ｖｉｆおよびｔａｔ、およびそれらの免疫原性断片または融合体からなる群から選択されるヒトまたはサル免疫不全ウィルス抗原であるところの、請求項７記載の使用。
【請求項９】
一番目の組成物が、（ｉ）同一または異なる抗原の一つより多くのコピーをコード化するＤＮＡ配列を含む一つのＤＮＡプラスミド、または（ｉｉ）各々のＤＮＡプラスミドが同一または異なる抗原をコード化する、一つより多くのＤＮＡプラスミドを含むところの、請求項１記載の使用。
【請求項１０】
その免疫応答が、（ｉ）抗原に対するＣＤ８＋Ｔ細胞反応において、ＤＮＡプラスミドまたは組換えＶＳＶ単独で投与することによって達成されるよりも向上していること、
または（ｉｉ）抗原に対する抗体反応において、一番目の組成物または二番目の組成物単独で投与することによって達成されるよりも相乗的に向上していることを含むところの、請求項１記載の使用。
【請求項１１】
医薬が少なくとも二つの組換えＶＳＶをさらに含む、請求項１記載の使用。
【請求項１２】
各々の組換えＶＳＶが、（ｉ）同じ抗原コード化配列であるが、異なるＶＳＶのＧタンパク質および異なるＶＳＶ血清型を有するか、（ｉｉ）同じＶＳＶ  Ｇタンパク質であるが、異なる抗原コード化配列を有するか、または（ｉｉｉ）異なる抗原コード化配列を有し、異なるＶＳＶのＧタンパク質を有するところの、請求項１１記載の使用。
【請求項１３】
哺乳類の対象にて抗原に対する抗原特異的免疫応答を誘導するための免疫原性組成物であって、
（ａ）ＤＮＡプラスミドによるその発現に対する調節配列による調節の下で、抗原をコード化するＤＮＡ配列を含むＤＮＡプラスミドを含む一番目の組成物と；
（ｂ）組換え水疱性口内炎ウィルス（ＶＳＶ）によるその発現に対する調節配列による調節の下で、該抗原をコード化する核酸配列を含む少なくとも一つの組換えＶＳＶと、を含む免疫原性組成物。
【請求項１４】
ＶＳＶが複製成分であるか、複製できないところの、請求項１３記載の組成物。
【請求項１５】
サイトカイン組成物をさらに含むところの、請求項１３記載の免疫原性組成物。
【請求項１６】
そのサイトカイン組成物が、ＤＮＡプラスミドによるその発現に対する調節配列による調節の下で、サイトカインをコード化するＤＮＡ配列を含むＤＮＡプラスミドを含む核酸組成物を含むところの、請求項１５記載の免疫原性組成物。
【請求項１７】
ＤＮＡプラスミドによるその発現に対する調節配列による調節の下で、抗原をコード化するＤＮＡ配列を含むＤＮＡプラスミドを含む、少なくとも一つの一番目の組成物と；
組換え水疱性口内炎ウィルス（ＶＳＶ）によるその発現に対する調節配列による調節の下で、該抗原をコード化する核酸配列を含む組換えＶＳＶを含む、少なくとも一つの二番目の組成物と；
哺乳類の対象にて抗原特異的免疫応答を誘導する方法を行うための取扱説明書と、
を含むキット。
【請求項１８】
ＶＳＶが複製成分であるか、複製できないところの、請求項１７記載のキット。
【請求項１９】
サイトカイン組成物をさらに含む、請求項１７記載のキット。
【請求項２０】
そのサイトカイン組成物が、ＤＮＡプラスミドによるその発現に対する調節配列による調節の下で、サイトカインをコード化するＤＮＡ配列を含むＤＮＡプラスミドを含む核酸組成物を含むところの、請求項１９記載のキット。
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
次式
【化１】
2006523223.tif 000001
［式中、
Ｑ、Ｘ、ＹおよびＺは、ＣＲ1およびＮからなる群から選択され、Ｑ、Ｘ、ＹおよびＺのうちの２つまでがＮであり、Ｑ、Ｘ、ＹおよびＺのうちの少なくとも２つがＣＨであるか；またはＹはＣＨであり、ＺがＣＨであり「Ｑ＝Ｘ」がＳを示してチオフェン環を形成し；
Ｒ1はそれぞれ独立に水素、ハロゲン、Ｃ1−Ｃ4アルコキシ、およびＣ1−Ｃ4アルキルからなる群から選択され；
Ｒ2は、ハロゲン；Ｃ1−Ｃ4アルコキシ；Ｃ1−Ｃ4アルキル；Ｃ3−Ｃ８シクロアルキル；シアノ；トリフルオロメチル；ハロゲン、Ｃ1−Ｃ4アルコキシおよびＣ1−Ｃ4アルキルからなる群から独立に選択される１〜２個の置換基で置換されていることもあるピリジニル；ハロゲン、Ｃ1−Ｃ4アルコキシ、およびＣ1−Ｃ4アルキルからなる群から選択される１個の置換基で置換されていることもあるチエニル；ハロゲン、Ｃ1−Ｃ4アルコキシ、Ｃ1−Ｃ4アルキル、トリフルオロメチル、およびシアノからなる群から選択される１〜３個の置換基で置換されていることもあるフェニル；およびハロゲン、Ｃ1−Ｃ4アルコキシおよびＣ1−Ｃ4アルキルからなる群から独立に選択される１〜２個の置換基で置換されていることもあるピロリル
からなる群から選択され；
Ｒ3は式（Ｚ）−（Ｙ）−（Ｘ）−
（式中、Ｘは、
【化２】
2006523223.tif 000002
およびメチル、ジェミナルなジメチルまたはフェニルで置換されていることもある直鎖状Ｃ1−Ｃ4アルカンジイルからなる群から選択され；
Ｙは、ＯおよびＳからなる群から選択され；そして
Ｚは、Ｃ1−Ｃ６アルキル；ハロゲン、Ｃ1−Ｃ4アルコキシ、Ｃ1−Ｃ4アルキル、トリフルオロメチル、シアノ、およびニトロからなる群から選択される１〜３個の置換基で置換されていることもあるＣ3−Ｃ８シクロアルキル；ハロゲン、Ｃ1−Ｃ4アルコキシ、Ｃ1−Ｃ4アルキル、トリフルオロメチル、シアノ、およびニトロからなる群から選択される１〜３個の置換基で置換されていることもあるフェニル；ハロゲン、Ｃ1−Ｃ4アルコキシ、Ｃ1−Ｃ4アルキル、トリフルオロメチル、シアノ、およびニトロからなる群から選択される１〜３個の置換基で置換されていることもあるナフチル；ハロゲン、Ｃ1−Ｃ4アルコキシおよびＣ1−Ｃ4アルキルからなる群から独立に選択される１または２個の置換基で置換されていることもあるヘテロアリール；およびハロゲン、Ｃ1−Ｃ4アルコキシおよびＣ1−Ｃ4アルキルからなる群から独立に選択される１または２個の置換基で置換されていることもある複素環
からなる群から選択される）
で示される基であり；
Ｒaは、水素およびメチルからなる群から選択され；
Ｒ4は、水素、ヒドロキシ、およびフルオロからなる群から選択され；
Ｒ5は、水素、ハロゲン、Ｃ1−Ｃ4アルコキシ、およびＣ1−Ｃ4アルキルからなる群から選択され；
Ｒbは、水素、メチルおよびエチルからなる群から選択され；そして
ｍは、１または２である］
で示される化合物またはその製薬的に許容し得る塩。
【請求項２】
ムスカリン受容体に関連する障害を処置するための請求項１記載の化合物を含有する医薬製剤。
【請求項３】
認知障害を処置するための請求項１記載の化合物を含有する医薬製剤。
【請求項４】
アルツハイマー病を処置するための請求項１記載の化合物を含有する医薬製剤。
【請求項５】
統合失調症を処置するための請求項１記載の化合物を含有する医薬製剤。
【請求項６】
軽度認識障害を処置するための請求項１記載の化合物を含有する医薬製剤。
【請求項７】
統合失調症に関連する認知障害を処置するための請求項１記載の化合物を含有する医薬製剤。
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
分子量が３５０未満である非ビニル第３級カルバメートのフレグランスとしての使用。
【請求項２】
アルキル、アルク−（＞１）−エニル、アルキニル、シクロアルキル、シクロアルケニル、フェニル、ナフチル、シクロアルキルアルキル、シクロアルケニルアルキル、フェニルアルキル、およびナフチルアルキルからなる群から選択される、カルバメートのエーテル酸素原子に共有結合した基を有し、該共有結合した基が、アルキル、アルケニルおよびアルコキシにより随意に置換されており、そして、該基が、随意にヘテロ原子を含む、Ｎ,Ｎ−置換カルバメートのフレグランス成分としての使用。
【請求項３】
請求項１または２に記載の、式（Ｉ）、
【化１】
2006523244.tif 000001
式中、
Ｒ１およびＲ２は、
（ａ）Ｃ１〜Ｃ１１アルキル；Ｃ３〜Ｃ１１アルク−（＞１）−エニル；またはＣ２〜Ｃ１１アルキニル基；および
（ｂ）アルキル、アルケニルおよびアルコキシ基（１個または２個以上）で随意に置換されたシクロアルキル；アルキル、アルケニルおよびアルコキシ基（１個または２個以上）で随意に置換されたＣ３〜Ｃ８シクロアルケニル；またはアルキル、アルケニルおよびアルコキシ基（１個または２個以上）で随意に置換されたフェニルもしくはナフチル；および
（ｃ）シクロアルキル環がアルキル、アルケニルおよびアルコキシ基（１個または２個以上）で随意に置換されたＣ４〜Ｃ１４シクロアルキルアルキル；または芳香環がアルキル、アルケニルおよびアルコキシ基（１個または２個以上）で随意に置換された、フェニルアルキルもしくはナフチルアルキル
からなる群から独立に選択され、
Ｒは、
（ａ）Ｃ１〜Ｃ１１アルキル；Ｃ３〜Ｃ１１アルク−（＞１）−エニル；またはＣ２〜Ｃ１１アルキニル基；および
（ｂ）アルキル、アルケニル、およびアルコキシ基（１個または２個以上）で随意に置換されたシクロアルキル；アルキル、アルケニルおよびアルコキシ基（１個または２個以上）で随意に置換されたＣ３〜Ｃ８シクロアルケニル；またはアルキル、アルケニル、およびアルコキシ基（１個または２個以上）で随意に置換されたフェニルもしくはナフチル；および
（ｃ）シクロアルキル環がアルキル、アルケニルおよびアルコキシ基（１個または２個以上）で随意に置換されたＣ４〜Ｃ１４シクロアルキルアルキル；シクロアルケニル環がアルキル、アルケニルおよびアルコキシ基（１個または２個以上）で随意に置換されたＣ４〜Ｃ１４シクロアルケニルアルキル；または芳香環がアルキル、アルケニルおよびアルコキシ基（１個または２個以上）で随意に置換されたフェニルアルキルもしくはナフチルアルキル；および
（ｄ）シクロアルキル環がアルキル、アルケニルおよびアルコキシ基（１個または２個以上）で随意に置換されたＣ５〜Ｃ１４シクロアルキルアルコキシアルキル；シクロアルケニル環がアルキル、アルケニルおよびアルコキシ基（１個または２個以上）で随意に置換されたＣ５〜Ｃ１４シクロアルケニルアルコキシアルキル；または芳香環がアルキル、アルケニルおよびアルコキシ基（１個または２個以上）で随意に置換されたフェニルアルコキシアルキルもしくはナフチルアルコキシアルキル；および
（ｅ）アルキル、アルケニルおよびアルコキシ基（１個または２個以上）で随意に置換された芳香族複素環；アルキル、アルケニルおよびアルコキシ基（１個または２個以上）で随意に置換されたアリールアルキル複素環；アルキル、アルケニルおよびアルコキシ基（１個または２個以上）で随意に置換された複素環；またはアルキル、アルケニルおよびアルコキシ基（１個または２個以上）で随意に置換されたシクロアルキル複素環；であって、環が５〜６員を有し、環のヘテロ原子が酸素または窒素であるもの；
からなる群から選択され、
Ｒ、Ｒ１およびＲ２は、合わせて７〜８個の炭素原子を有する、
で表されるカルバメートの、フレグランス成分としての使用。
【請求項４】
請求項１または２に記載の、式（Ｉ）、
【化２】
2006523244.tif 000002
式中、
Ｒ１は、
（ａ）Ｃ１〜Ｃ６アルキル基；Ｃ３〜Ｃ５アルク−（＞１）−エニル基；またはＣ２〜Ｃ５アルキニル基；および
（ｂ）アルキルおよびアルケニル基（１個または２個以上）によって随意に置換されたＣ３〜Ｃ６シクロアルキル；アルキルおよびアルケニル基（１個または２個以上）で随意に置換されたＣ３〜Ｃ６シクロアルケニル；またはアルキルおよびアルケニル基（１個または２個以上）で随意に置換されたフェニル；および
（ｃ）シクロアルキル環がアルキルおよびアルケニル基（１個または２個以上）で随意に置換されたＣ４〜Ｃ８シクロアルキルアルキル；または芳香環がアルキルおよびアルケニル基（１個または２個以上）で随意に置換されたフェニルアルキルからなる群から選択され、
ＲおよびＲ２は結合先の原子と一緒に、アルキルおよびアルケニル基（１個または２個以上）で随意に置換された、５〜８員の複素環を形成し；Ｒ、Ｒ１およびＲ２は合わせて７〜１８個の炭素原子を有する、
で表されるカルバメートの、フレグランス成分としての使用。
【請求項５】
請求項１に記載のカルバメートのフレグランス成分としての使用であって、前記カルバメートは式（Ｉ）の化合物から選択される、前記使用：
【化３】
2006523244.tif 000003
式中、Ｒ、Ｒ１およびＲ２は、以下の表に従って選択される
【表１】
2006523244.tif 000004
で表される化合物。
【請求項６】
式（Ｉ）
【化４】
2006523244.tif 000005
式中、Ｒ、Ｒ１およびＲ２は、以下の表に従って選択される
【表２】
2006523244.tif 000006
で表される化合物。
【請求項７】
請求項１〜６のいずれかに定義された非ビニル第３級カルバメートをフレグランス成分として含む、フレグランス組成物。
【請求項８】
式（Ｉ）：
【化５】
2006523244.tif 000007
で表される化合物を、
（ａ）第１級アミンＨ２ＮＲ１を、塩基の存在下で、式（ＩＶ）のクロロギ酸アルキルエステルと反応させて式（Ｖ）の第２級カルバメートを得る工程、およびその後の、
【化６】
2006523244.tif 000008
（ｂ）前記式（Ｖ）の第２級カルバメートを、塩基の存在下で式：Ｒ２−Ｘ
式中、ＸはＢｒ−、Ｃｌ−、Ｊ−、またはＲ４−ＳＯ４−であり、Ｒ４はメチルまたはトリルである
で表されるアルキル化剤と反応させる工程、
により製造するための方法であって、
ここで、Ｒ、Ｒ１およびＲ２は請求項３、４および５のいずれかに定義されるとおりであり、かつ工程（ａ）および（ｂ）は同一反応容器内で逐次的に行われる、前記方法。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
発泡親水性ポリマー溶液を調製し、該発泡親水性ポリマー溶液を、高エネルギー放射線源に、連続気泡構造を有するポリマー発泡体を形成するのに十分に短い時間暴露することを特徴とする、インクジェットレシーバーの製造方法。
【請求項２】
前記高エネルギー放射線源がマイクロ波放射線である、請求項１に記載の方法。
【請求項３】
前記発泡親水性ポリマー溶液を暴露する工程の時間が８分間以下である、請求項２に記載の方法。
【請求項４】
前記発泡親水性ポリマー溶液を調製する工程が、親水性ポリマー溶液を、該親水性ポリマー中に空気が同伴されて気泡が形成するように高せん断撹拌すること、または、該親水性ポリマー溶液に物理的もしくは化学的発泡剤を添加し、該発泡剤との相互作用によりそれを分解させてガスを発生させることを含む、請求項１に記載の方法。
【請求項５】
支持体と、該支持体上のインク受容性層とを含んでなり、該インク受容性層が、請求項１に記載の方法により得ることができる親水性ポリマー発泡材料を含むことを特徴とするインクジェットレシーバー。
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
ａ）式
【化１】
2006523241.tif 000001
（式中、
Ｒ1及びＲ2の一方は、互いに独立して、水素原子、又は炭素原子数１ないし１８のアルキル基、フェニル基、（炭素原子数１ないし４のアルキル）１ないし３フェニル基、フェニル−炭素原子数１ないし３のアルキル基、（炭素原子数１ないし４のアルキル）１ないし３フェニル−炭素原子数１ないし３のアルキル基、炭素原子数５ないし１２のシクロアルキル基及び（炭素原子数１ないし４のアルキル）１ないし３炭素原子数５ないし１２のシクロアルキル基からなる群から選択された置換基を表わし；
及び他方は、炭素原子数１ないし１８のアルキル基、フェニル基、（炭素原子数１ないし４のアルキル）１ないし３フェニル基、フェニル−炭素原子数１ないし３のアルキル基、（炭素原子数１ないし４のアルキル）１ないし３フェニル−炭素原子数１ないし３のアルキル基、炭素原子数５ないし１２のシクロアルキル基及び（炭素原子数１ないし４のアルキル）１ないし３炭素原子数５ないし１２のシクロアルキル基からなる群から選択された置換基を表わし；
Ｒ3は、水素原子又はメチル基を表わし；
Ｙは、水素原子又は炭素原子数１ないし６のアルキル基を表わし；
ｍは、０又は１を表わす。）で表わされる少なくとも１種の化合物と
ｂ）式
Ｒ4−ＯＨ      （ＩＩ）
（式中、Ｒ4は炭素原子数４ないし２５のアルキル基を表わす。）で表わされる少なくとも１種の化合物、及び
ｃ）式
【化２】
2006523241.tif 000002
（式中、Ｒ５及びＲ５’は、互いに独立して、水素原子又は炭素原子数１ないし６のアルキル基を表わす。）で表わされる少なくとも１種の化合物
を反応させることによって得られる生成物。
【請求項２】
Ａ）請求項１記載の生成物、及び
Ｂ）酸化、熱又は光誘発分解を受け易い機能液
を含む組成物。
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
ポリカーボネートポリマーのマトリックス中に平均ドメインサイズ２０〜４５ｎｍのポリシロキサンドメインが埋込まれた熱可塑性樹脂組成物。
【請求項２】
１種以上のポリカーボネート／ポリ（ジオルガノシロキサン）コポリマーを含む、請求項１記載の組成物。
【請求項３】
ポリシロキサン鎖が１０以上のシロキサン単位の平均分子鎖長を有する、請求項１又は請求項２記載の組成物。
【請求項４】
当該組成物の総重量を基準に計算して１〜１５重量％のポリジメチルシロキサン含量又はこれに相当するモル量の他のポリジオルガノシロキサンを含む、請求項１乃至請求項３のいずれか１項記載の組成物。
【請求項５】
視覚効果添加剤をさらに含む、請求項１乃至請求項４のいずれか１項記載の組成物。
【請求項６】
ポリカーボネート樹脂、ドリップ防止剤、難燃剤、スチレンアクリロニトリルポリマー、脂環式ポリエステル、耐衝撃性改良剤又はＡＢＳゴム或いはこれらの組合せをさらに含む、請求項１乃至請求項５のいずれか１項記載の組成物。
【請求項７】
第１の光透過率及び第１のヘイズを有する第１のポリカーボネート／ポリ（ジオルガノシロキサン）コポリマーと、第２の光透過率及び第２のヘイズを有する第２のポリカーボネート／ポリ（ジオルガノシロキサン）コポリマーを含む熱可塑性樹脂組成物であって、第１のヘイズと第２のヘイズの絶対差が５０以上及び／又は第１の光透過率と第２の光透過率の絶対差が１０％以上である、熱可塑性樹脂組成物。
【請求項８】
ポリカーボネート樹脂、視覚効果添加剤、ドリップ防止剤、難燃剤、スチレンアクリロニトリルポリマー、脂環式ポリエステル、耐衝撃性改良剤又はＡＢＳゴム或いはこれらの組合せをさらに含む、請求項７記載の組成物。
【請求項９】
０〜５５％の第１の光透過率及び４５〜１０４の第１のヘイズを有する第１のポリカーボネート／ポリ（ジオルガノシロキサン）コポリマーと、５５〜１００％の第２の光透過率及び０〜４５の第２のヘイズを有する第２のポリカーボネート／ポリ（ジオルガノシロキサン）コポリマーを含む熱可塑性樹脂組成物であって、第１のヘイズと第２のヘイズ及び／又は第１の光透過率と第２の光透過率が異なる、熱可塑性樹脂組成物。
【請求項１０】
ポリカーボネート樹脂、視覚効果添加剤、ドリップ防止剤、難燃剤、スチレンアクリロニトリルポリマー、脂環式ポリエステル、耐衝撃性改良剤又はＡＢＳゴム或いはこれらの組合せをさらに含む、請求項９記載の組成物。
【請求項１１】
請求項１乃至請求項１０のいずれか１項記載の組成物を含む物品。
【請求項１２】
熱可塑性樹脂組成物で所望の半透明性を得る方法であって、第１の光透過率及び第１のヘイズを有する第１のポリカーボネート／ポリ（ジオルガノシロキサン）コポリマーと、第２の光透過率及び第２のヘイズを有する第２のポリカーボネート／ポリ（ジオルガノシロキサン）コポリマーを特定の相対量で混合することを含んでなり、第１のヘイズと第２のヘイズ及び／又は第１の光透過率と第２の光透過率が異なり、上記組成物が２５〜８５％の光透過率及び１０４未満のヘイズを有する、方法。
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
癌の処置のための医薬品の製造における、式ＩＶ：
【化１】
2006523216.tif 000001
で示される化合物またはその塩の使用であって、ここで、
癌は、慢性骨髄性白血病（ＣＭＬ）、消化管間質腫瘍（ＧＩＳＴ）、急性骨髄性白血病（ＡＭＬ）、肥満細胞症、胚細胞腫瘍、小細胞肺癌（ＳＣＬＣ）、黒色腫、膵癌、前立腺癌、および小児科肉腫からなる群から選ばれる、該使用。
【請求項２】
癌はＳＴＩ−５７１に対して耐性である、請求項１記載の使用。
【請求項３】
式ＩＶの化合物は、５連続日間で１日１回、続いて処置のない２日間で経口投与する、請求項１記載の使用。
【請求項４】
式ＩＶの化合物は、１日当たり１〜４回で経口投与する、請求項１記載の使用。
【請求項５】
癌は慢性骨髄性白血病である、請求項１記載の使用。
【請求項６】
式ＩＶ：
【化２】
2006523216.tif 000002
で示される化合物またはその塩の治療学的に有効な量、および医薬的に許容し得るビヒクル、希釈剤または添加物を含有する、癌の処置のための医薬組成物であって、ここで、
癌は、慢性骨髄性白血病（ＣＭＬ）、消化管間質腫瘍（ＧＩＳＴ）、急性骨髄性白血病（ＡＭＬ）、肥満細胞症、胚細胞腫瘍、小細胞肺癌（ＳＣＬＣ）、黒色腫、膵癌、前立腺癌、および小児科肉腫からなる群から選ばれる、該医薬組成物。
【請求項７】
癌はＳＴＩ−５７１に対して耐性である、請求項６記載の医薬組成物。
【請求項８】
医薬組成物は、５連続日間で１日１回、続いて処置のない２日間で経口投与する、請求項６記載の医薬組成物。
【請求項９】
医薬組成物は、１日当たり１〜４回で経口投与する、請求項６記載の医薬組成物。
【請求項１０】
癌は慢性骨髄性白血病である、請求項６記載の医薬組成物。
【請求項１１】
式ＩＶ：
【化３】
2006523216.tif 000003
で示される化合物またはその塩、およびプロテインチロシンキナーゼ関連疾患の処置に有用な他の適当な治療学的な剤の組み合わせを含む、癌の処置のための剤であって、ここで、
癌は、慢性骨髄性白血病（ＣＭＬ）、消化管間質腫瘍（ＧＩＳＴ）、急性骨髄性白血病（ＡＭＬ）、肥満細胞症、胚細胞腫瘍、小細胞肺癌（ＳＣＬＣ）、黒色腫、膵癌、前立腺癌、および小児科肉腫からなる群から選ばれる、該剤。
【請求項１２】
式ＩＶで示される化合物またはその塩を、プロテインチロシンキナーゼ関連疾患の処置に有用な他の適当な治療学的な剤の前に、と同時に、または後に投与することを含む、請求項１１記載の剤。
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
ＩＲＭ化合物を含む、皮膚病変の視覚化のための診断用組成物であって、ここで、処理領域における前記皮膚病変の視覚化を可能にするために十分な期間及び量の該組成物が、皮膚の上記処理領域に投与される、前記診断用組成物。
【請求項２】
ＩＲＭ化合物を含む、皮膚病変の辺縁の視覚化のための診断用組成物であって、ここで、処理領域における前記皮膚病変の辺縁の視覚化を可能にするために十分な期間及び量の前記組成物が、前記処理領域に投与され、そして前記皮膚病変の辺縁が視覚化される、前記診断用組成物。
【請求項３】
ＩＲＭ化合物を含む、皮膚病変の辺縁を可視的に強調するための診断用組成物であって、ここで、前記皮膚病変の辺縁を可視的に強調するために十分な期間及び量の前記組成物が、少なくとも１つの臨床的に可視の皮膚病変を含んで成る処理領域に投与される、前記診断用組成物。
【請求項４】
ＩＲＭ化合物を含む、皮膚病変の切除の前に該皮膚病変を前処理するための診断用組成物であって、該皮膚病変の辺縁を可視的に強調するために十分な期間及び量の前記組成物が、少なくとも１つの臨床的に可視の皮膚病変を含んでなる処理領域に投与される、前記診断用組成物。
【請求項５】
ＩＲＭ化合物を含む、無症状性皮膚病変の視覚化のための診断用組成物であって、ここで、処理領域における前記無症状性皮膚病変を明白にさせるために十分な期間及び量の前記組成物が、前記処理領域に投与され、そして、前記無症状性皮膚病変が視覚化される、前記診断用組成物。
【請求項６】
ＩＲＭ化合物を含む、皮膚病変の辺縁の視覚化のための診断用組成物であって、ここで、前記皮膚病変の辺縁の視覚化を可能にするために十分な期間及び量の前記組成物が、少なくとも１つの皮膚病変を含んでなる処理領域に投与される、前記診断用組成物。